(57)【要約】      （修正有）【課題】収納時においては折り畳みが可能であるとともに、ポスターや販促品等の広告媒体をスタンド式ディスプレイ装置とは別個に梱包する必要のないスタンド式ディスプレイ装置を提供する。【解決手段】折り畳み可能に形成された広告表示部１１と、上記広告表示部１１を載置面１２に対し立設可能に支持しうると共に、上記広告表示部１１と一体となって折り畳み可能に形成される支持部１３とを有するスタンド式ディスプレイ装置１０であって、折り畳み時においては、上記支持部１３は、上記広告表示部１１を内部に収納しうるとともに、広告媒体１５を収納しうる広告媒体収納部１６を内部に形成しうる。【選択図】図２
0003114293.tif 000002
【実用新案登録請求の範囲】
【請求項１】
折り畳み可能に形成された広告表示部と、
上記広告表示部を載置面に対し立設可能に支持しうると共に、上記広告表示部と一体となって折り畳み可能に形成される支持部と
を有するスタンド式ディスプレイ装置であって、
折り畳み時においては、上記支持部は、上記広告表示部を内部に収納しうるとともに、広告媒体を収納しうる広告媒体収納部を内部に形成しうることを特徴とするスタンド式ディスプレイ装置。
【請求項２】
上記広告表示部は縦長板状に形成され、上記支持部は上記広告表示部の幅方向の中間部に設けられ、
上記支持部には、上記支持部に係合して立設状態を保持しうる固定部材が脱着可能に設けられ、
上記固定部材は、折り畳み時には、上記広告媒体収納部内に収納される広告媒体を保持しうるスペーサーとして使用されることを特徴とする請求項１記載のスタンド式ディスプレイ装置。
【請求項３】
上記支持部は、上記広告表示部の長さ方向に沿って形成され、立設時においては、
横断面コ字状となるように形成されるとともに、折り畳み時においては、
上記広告表示部と平行に形成され、上記広告表示部と一体となって上記広告表示部を内方に包装するように折り畳み可能に形成されていることを特徴とする請求項２記載のスタンド式ディスプレイ装置。
【請求項４】
上記広告表示部は、長さ方向において等間隔に三分割するように形成された折り曲げ線が幅方向に沿って夫々形成され、
上記広告表示部は、上記各折り曲げ線を介して表面が内方となるように、上記支持部と一体となって折り畳み可能に形成され、
上記支持部は、上記広告表示部に沿って設けられた長板状の主板面部と、上記主板面部の幅方向両端縁から折り曲げ可能に延設された各側板面部により形成され、
立設時においては、各側板面部は折り起こされて、上記主板面部と夫々略直角方向に形成されることにより、横断面コ字状に形成され、
上記固定部材は、上記各側板面部に設けられたスリットに係合されていることを特徴とする請求項３記載のスタンド式ディスプレイ装置。
【請求項５】
上記各側板面部は、長さ方向中間部において、相互に着脱可能に係合して、上記支持部を横断面矩形状に形成しうる固定片部を有することを特徴とする請求項４記載のスタンド式ディスプレイ装置。
【請求項６】
上記支持部には、上記広告表示部に形成されている上記折り曲げ線と重なる位置において上記支持部の幅方向に沿って形成されている折り曲げ線から所定間隔をあけて設けられた側壁形成線が夫々形成され、
折り畳み時において、上記支持部は、上記支持部に設けられた折り曲げ線を介して折曲されるとともに、上記広告表示部に設けられた折り曲げ線により折曲されて、全体箱状に形成され、
上記固定部材は、上記支持部に設けられた折り曲げ線と上記広告表示部に設けられた折り曲げ線とにより形成された側壁部と同一の高さ寸法を有する筒状体に形成され、上記広告媒体収納部に収納されることにより、上記広告媒体収納部を保持しうることを特徴とする請求項４記載のスタンド式ディスプレイ装置。
【請求項７】
上記スリットは、上記各側板面部の長さ方向に対して直角方向に所定間隔をおいて形成され、
上記固定部材は、基板と、上記基板において対向する両端縁から夫々折り曲げ可能に延設された側板とにより形成され、
上記各側板には、上記側板面部に形成されているスリットに係合しうるスリットが夫々形成され、
上記固定部材は、立設時においては、上記各側板は折り起こされて、上記基板と夫々略直角方向に形成されることにより、横断面コ字状に形成されて、上記各側板面部に形成されているスリットに対して、上記固定部材に設けられているスリットが係合されることによって固定され、
折り畳み時においては、上記側板に隣接している基板が折り起こされて、横断面矩形状の筒状体に形成されていることを特徴とする上記請求項４記載のスタンド式ディスプレイ装置。
【考案の詳細な説明】
【技術分野】
【０００１】
本考案は、折り畳み可能なスタンド式ディスプレイ装置に係り、特に、広告時に使用されるポスターや販促品等の広告媒体を上記スタンド式ディスプレイ装置とは別個に梱包する必要のないスタンド式ディスプレイ装置に関する。
【背景技術】
【０００２】
従来、店頭やキャンペーン会場において床に載置して広告体を表示しうる折畳み可能なスタンド式ディスプレイ装置が存在している（特許文献１、特許文献２）。
上記スタンド式ディスプレイ装置は、広告表示体と、上記広告表示体を裏側から支持しうる支持体と、上記支持体を固定しうる固定部材とにより構成されており、上記広告表示体と、支持体とは一体に貼着されていることから、上記支持体は上記表示体を内装して、一体に折り畳んで箱状にして小さく梱包することができる。
【特許文献１】特開２００１−２９０４２４号
【特許文献２】実登３０８９１５７号
【考案の開示】
【考案が解決しようとする課題】
【０００３】
ここで、店頭やキャンペーン会場において、上記スタンド式ディスプレイ装置を使用して広告を行うような場合には、上記スタンド式ディスプレイ装置以外にも、ポスターや販促品等の広告媒体を使用して広告活動をおこなうのが通例である。
【０００４】
しかし、特許文献１にかかる技術においては、上記ポスターや販促品等の広告媒体を上記スタンド式ディスプレイ装置と一緒に一体に折り畳んで箱状に梱包するようには形成されていなかった。
したがって、上記広告活動を行う店頭や広告キャンペーン会場等に上記スタンド式ディスプレイ装置を搬送する場合に、上記ポスターや販促品等を梱包するための箱体などの梱包材を別途用意し、かつ、別途に搬送しなければならず、コストがかかる上に梱包作業が煩雑であった。
【０００５】
また、上記ポスターや販促品等は容易に損壊するものが多く、上記広告活動後は使い捨てであるにも拘らず、搬送中の破損から保護するための衝撃緩衝材を用意しなければならず、コストがかかる上に、環境保護の観点から問題があった。
【０００６】
そこで、本考案が解決しようとする課題は、収納時においては折り畳みが可能であるとともに、ポスターや販促品等の広告媒体をスタンド式ディスプレイ装置とは別個に梱包する必要のないスタンド式ディスプレイ装置の提供を図ることにある。
【課題を解決するための手段】
【０００７】
このような技術的課題解決のため、請求項１の記載の考案は、折り畳み可能に形成された広告表示部１１と、上記広告表示部１１を載置面１２に対し立設可能に支持しうると共に、上記広告表示部１１と一体となって折り畳み可能に形成される支持部１３とを有するスタンド式ディスプレイ装置１０であって、折り畳み時においては、上記支持部１３は、上記広告表示部１１を内部に収納しうるとともに、広告媒体１５を収納しうる広告媒体収納部１６を内部に形成しうることを特徴とする。
したがって、請求項１記載の考案にあっては、立設時においては、上記広告表示部１１を載置面１２に立設して、宣伝広告事項を通行人等に広く知らしめることができるスタンド式ディスプレイ装置として使用することができる。
また、折りたたみ時においては、上記支持部１３により、上記広告表示部１１を内部に収納しうるとともに、上記支持部１３により形成された広告媒体収納部１６により、広告媒体１５を収納しうる。
【０００８】
請求項２記載の考案は、上記広告表示部１１は縦長板状に形成され、上記支持部１３は上記広告表示部１１の幅方向の中間部に設けられ、上記支持部１３には、上記支持部１３に係合して立設状態を保持しうる固定部材１９が脱着可能に設けられ、上記固定部材１９は、折り畳み時には、上記広告媒体収納部１６内に収納される広告媒体１５を保持しうるスペーサーとして使用されることを特徴とする。
したがって、請求項２記載の考案にあっては、上記スタンド式ディスプレイ装置１０は、上記固定部材１９により保持されて立設されている。
また、上記固定部材１９により広告媒体１５を収納しうる上記広告媒体収納部１６が保持されている。
【０００９】
請求項３記載の考案は、上記支持部１３は、上記広告表示部１１の長さ方向に沿って形成され、立設時においては、横断面コ字状となるように形成されるとともに、折り畳み時においては、上記広告表示部１１と平行に形成され、上記広告表示部１１と一体となって上記広告表示部１１を内方に包装するように折り畳み可能に形成されていることを特徴とする。
したがって、請求項３記載の考案にあっては、立設時においては、上記スタンド式ディスプレイ装置１０は、横断面コ字状に形成された上記支持部１３により立設されているため、載置面１２に対し安定して立設させることができる。
また、折りたたみ時においては、上記広告表示部１１は、上記支持部１３により内方に包装されている。
【００１０】
請求項４記載の考案にあっては、上記広告表示部１１は、長さ方向において等間隔に三分割するように形成された折り曲げ線２３ａ，２３ｂが幅方向に沿って夫々形成され、
上記広告表示部１１は、上記各折り曲げ線２３ａ，２３ｂを介して表面２６が内方となるように、上記支持部１３と一体となって折り畳み可能に形成され、上記支持部１３は、上記広告表示部１１に沿って設けられた長板状の主板面部１７と、上記主板面部１７の幅方向両端縁から折り曲げ可能に延設された各側板面部１８ａ，１８ｂにより形成され、立設時においては、各側板面部１８ａ，１８ｂは折り起こされて、上記主板面部１７と夫々略直角方向に形成されることにより、横断面コ字状に形成され、上記固定部材１９は、上記各側板面部１８ａ，１８ｂに設けられたスリット５１ａ，５１ｂ，５２ａ，５２ｂに係合されていることを特徴とする。
したがって、請求項４記載の考案にあっては、折りたたみ時においては、上記広告表示部１１は、上記折り曲げ線２３a,２３ｂを介して長さ方向略３分の１に折りたたまれている。
立設時においては、上記支持部１３は、上記主板面部１７と上記各側板面部１８ａ，１８ｂとにより横断面コ字状に形成されていることから、載置面に対し安定して立設させることができる。
また、上記固定部材１９が上記スリット５１ａ，５１ｂ，５２ａ，５２ｂに係合されていることから、上記支持部１３を安定して保持することができる。
【００１１】
請求項５記載の考案は、上記各側板面部１８ａ，１８ｂは、長さ方向中間部において、相互に着脱可能に係合して、上記支持部１３を横断面矩形状に形成しうる固定片部２２ａ，２２ｂを有することを特徴とする。
したがって、請求項５記載の考案にあっては、上記支持部１３は、上記固定片部２２ａ，２２ｂにより係合され、上記支持部１３のリブとして機能することから、上記支持部１３の形状を保持することができる。
【００１２】
請求項６記載の考案にあっては、上記支持部１３には、上記広告表示部１１に形成されている上記折り曲げ線２３ａ，２３ｂと重なる位置において、上記支持部１３の幅方向に沿って形成されている折り曲げ線４６ａ，４６ｂから所定間隔をあけて設けられた側壁形成線２４ａ，２４ｂが夫々形成され、折り畳み時において、上記支持部１３は、上記支持部１３に設けられた折り曲げ線４６ａ，４６ｂを介して折曲されるとともに、上記広告表示部１１に設けられた折り曲げ線２３ａ，２３ｂにより折曲されて、全体箱状に形成され、上記固定部材１９は、上記支持部１３に設けられた折り曲げ線４６ａ，４６ｂと上記側壁形成線２４ａ，２４ｂとにより形成された側壁部５６ａ，５６ｂと同一の高さ寸法を有する筒状体に形成され、上記広告媒体収納部１６に収納されることにより、上記広告媒体収納部１６を保持しうることを特徴とする。
したがって、請求項６記載の考案にあっては、上記各折り曲げ線４６ａ，４６ｂ，２３ａ，２３ｂ及び側壁形成線２４ａ，２４ｂにより全体箱状に形成されることから、上記広告媒体１５を安定して保持することができる。
また、上記固定部材１９は、折り畳み時には、上記側壁部５６ａ，５６ｂと同一の高さ寸法を有することから、上記固定部材１９を上記広告媒体収納部１６内に収納することによって、高さ方向からの押圧に対して上記広告媒体収納部１６の形状を保持することができる。
【００１３】
請求項７記載の考案にあっては、上記スリット５１ａ，５１ｂ，５２ａ，５２ｂは、上記各側板面部１８ａ，１８ｂの長さ方向に対して直角方向に所定間隔をおいて形成され、上記固定部材１９は、基板３５と、上記基板３５において対向する両端縁から夫々折り曲げ可能に延設された側板３６ａ，３６ｂとにより形成され、上記各側板３６ａ，３６ｂには、上記側板面部１８ａ，１８ｂに形成されているスリット５１ａ，５１ｂ，５２ａ，５２ｂに係合しうるスリット３４ａ，３４ｂ，３４ｃ，３４ｄが夫々形成され、上記固定部材１９は、立設時においては、上記各側板３６ａ，３６ｂは折り起こされて、上記基板３５と夫々略直角方向に形成されることにより、横断面コ字状に形成されて、上記各側板面部１８ａ，１８ｂに形成されているスリット５１ａ，５１ｂ，５２ａ，５２ｂに対して、上記固定部材１９に設けられているスリット３４ａ，３４ｂ，３４ｃ，３４ｄが係合されることによって固定され、折り畳み時においては、上記側板３６ａ，３６ｂに隣接している基板３５が折り起こされて、横断面矩形状の筒状体に形成されていることを特徴とする。
したがって、上記固定部材１９は、上記スリット３４ａ，３４ｂ，３４ｃ，３４ｄを介して上記側板面部１８ａ，１８ｂに形成されているスリット５１ａ，５１ｂ，５２ａ，５２ｂに係合されていることから、上記支持部１３の形状を保持することができる。
また、上記固定部材１９は、上記側板３６ａ，３６ｂに隣接している基板３５が折り起こされて横断面矩形状に形成されていることから、矩形状に形成されている上記固定部材１９を上記広告媒体収納部１６内に収納することによって、上記広告媒体収納部１６の形状を保持することができる。
【考案の効果】
【００１４】
本考案は、上記のように構成されているので、以下の効果を奏する。
請求項１記載の考案によれば、上記スタンド式ディスプレイ装置１０を構成する支持部１３や、広告表示部１１のみならず、ポスターや販促品等の広告媒体も同時に収納しうることから、広告活動を行う店頭やキャンペーン会場等に上記スタンド式ディスプレイ装置１０を搬送する場合に、ポスターや販促品等の広告媒体１５を上記スタンド式ディスプレイ装置１０とは別個に梱包する必要がない。
したがって、梱包作業時間の短縮になるとともに、広告媒体１５の梱包材が不要なことから、コストがかからず、また無駄な梱包材や広告媒体のための衝撃緩衝材が発生しないことから環境保護の観点からも望ましい。
【００１５】
請求項２記載の考案によれば、広告としての使用時には、上記固定部材１９により立設状態が保持されるとともに、一方、梱包時は、上記広告媒体収納部１６内に収納されている広告媒体１５を保護することができる。
したがって、破損しやすい広告媒体を上記スタンド式ディスプレイ装置１０と同時に梱包した場合であっても、緩衝材として機能するため、上記広告媒体１５を梱包して広告媒体１５を破損させることなく搬送することができる。
【００１６】
請求項３記載の考案によれば、上記スタンド式ディスプレイ装置１０は、横断面コ字状に形成された支持部１３により、安定して立設されるとともに、折りたたみ時においては、上記広告表示部１１と平行に形成されることから、コンパクトに収納することが可能となる。
【００１７】
請求項４記載の考案によれば、上記各折り曲げ線２３ａ，２３ｂを介して上記スタンド式ディスプレイ装置１０の長さ寸法の略３分の１の長さ寸法に折りたたむことが可能となる。
また、上記固定部材１９により上記支持部が固定されることから、上記スタンド式ディスプレイ装置１０を安定して立設することが可能となる。
【００１８】
請求項５記載の考案によれば、支持部１３に設けられている固定片部２２ａ，２２ｂにより上記支持部を横断面矩形状に保持しうることから、上記固定片部２２ａ，２２ｂにより形成されたリブにより、上記支持部１３を強固な構造とすることができ、上記スタンド式ディスプレイ装置１０を安定して保持することが可能となる。
【００１９】
請求項６記載の考案によれば、上記支持部１３は、上記折り曲げ線４６ａ，４６ｂと上記側壁形成線２４ａ，２４ｂにより、全体箱状に形成されていることから、上記広告媒体収納部１６の収納体積が増加し、上記広告媒体収納部１６内にポスターや販促品等の広告媒体１５をより多く収納することができる。
また、上記広告媒体収納部１６は、上記側壁部５６ａ，５６ｂ及び、上記固定部材１９により保持されていることから、上記広告媒体収納部１６内に広告媒体１５を収納した場合であっても、安全に梱包することができ、搬送や保管時における破損から防止することができる。
【００２０】
請求項７記載の考案によれば、上記支持部１３は、上記固定部材１９に設けられているスリット３４ａ，３４ｂ，３４ｃ，３４ｄを介して上記側板面部１８ａ，１８ｂに形成されているスリット５１ａ，５１ｂ，５２ａ，５２ｂに係合することができ、上記固定部材１９を上記側面部１８ａ，１８ｂに対し確実に係合させることができ、上記支持部１３を保持することができる。
したがって、上記支持部１３を載置面１２に対し確実に立設させることができる。
また、上記固定部材１９の上記側板３６ａ，３６ｂに隣接している基板３５を折り起こして横断面矩形状の筒状体を形成してから、上記広告媒体収納部１６内に収納させることにより、上記広告媒体収納部１６の形状を保持することができるスペーサーとして使用することができる。
【考案を実施するための最良の形態】
【００２１】
以下、添付図面に示す実施の形態に基づき、本考案にかかるスタンド式ディスプレイ装置１０を詳細に説明する。
【００２２】
本実施の形態に係るスタンド式ディスプレイ装置１０は、図２に示すように、折り畳み可能に形成された広告表示部１１と、上記広告表示部１１を載置面１２に対し立設可能に支持しうると共に、上記広告表示部１１と一体となって折り畳み可能に形成される支持部１３とを有するスタンド式ディスプレイ装置１０であって、折り畳み時においては、図６に示すように、上記支持部１３は、上記広告表示部１１を内部に収納しうるとともに、広告媒体１５を収納しうる広告媒体収納部１６を内部に形成しうる。
【００２３】
また、図１、図２に示すように、上記広告表示部１１は縦長板状に形成され、上記支持部１３は上記広告表示部１１の幅方向の中間部に設けられ、上記支持部１３には、上記支持部１３に係合して立設状態を保持しうる固定部材１９が脱着可能に設けられ、上記固定部材１９は、折り畳み時には、図６，図７に示すように、上記広告媒体収納部１６内に収納される広告媒体１５を保持しうるスペーサーとして使用される。
【００２４】
また、図１に示すように、上記支持部１３は、上記広告表示部１１の長さ方向に沿って形成され、立設時においては、横断面コ字状となるように形成されるとともに、折り畳み時においては、図９に示すように、上記広告表示部１１と平行に形成され、図４、図５に示すように、上記広告表示部１１と一体となって上記広告表示部１１を内方に包装するように折り畳み可能に形成されている。
【００２５】
また、上記広告表示部１１は、図１に示すように、長さ方向において等間隔に三分割するように形成された折り曲げ線２３ａ，２３ｂが幅方向に沿って夫々形成され、上記広告表示部１１は、図４に示すように、上記各折り曲げ線２３ａ，２３ｂを介して表面２６が内方となるように、上記支持部１３と一体となって折り畳み可能に形成されている。
上記支持部１３は、上記広告表示部１１に沿って設けられた長板状の主板面部１７と、上記主板面部１７の幅方向両端縁から折り曲げ可能に延設された各側板面部１８ａ，１８ｂにより形成されている。
立設時においては、図１に示すように、各側板面部１８ａ，１８ｂは折り起こされて、上記主板面部１７と夫々略直角方向に形成されることにより、横断面コ字状に形成され、上記固定部材１９は、上記各側板面部１８ａ，１８ｂに設けられたスリット５１ａ，５１ｂ，５２ａ，５２ｂに係合されている。
【００２６】
また、図２に示すように、上記各側板面部１８ａ，１８ｂは、長さ方向中間部において、相互に着脱可能に係合して、上記支持部１３を横断面矩形状に形成しうる固定片部２２ａ，２２ｂを有する。
【００２７】
また、図１に示すように、上記支持部１３には、上記広告表示部１１に形成されている上記折り曲げ線２３ａ，２３ｂと重なる位置において上記支持部１３の幅方向に沿って形成されている折り曲げ線４６ａ，４６ｂから所定間隔をあけて設けられた側壁形成線２４ａ，２４ｂが夫々形成され、折り畳み時において、上記支持部１３は、図４、図５に示すように、上記支持部１３に設けられた折り曲げ線４６ａ，４６ｂを介して折曲されるとともに、上記広告表示部１１に設けられた折り曲げ線２３ａ，２３ｂにより折曲されて、全体箱状に形成され、上記固定部材１９は、図７、図８に示すように、上記支持部１３に設けられた折り曲げ線４６ａ，４６ｂと上記側壁形成線２４ａ，２４ｂとにより形成された側壁部５６ａ，５６ｂと同一の高さ寸法を有する筒状体に形成され、上記広告媒体収納部１６に収納されることにより、上記広告媒体収納部１６を保持しうる。
【００２８】
また、図１に示すように、上記スリット５１ａ，５１ｂ，５２ａ，５２ｂは、上記各側板面部１８ａ，１８ｂの長さ方向に対して直角方向に所定間隔をおいて形成され、上記固定部材１９は、図８に示すように、基板３５と、上記基板３５において対向する両端縁から夫々折り曲げ可能に延設された側板３６ａ，３６ｂとにより形成され、上記各側板３６ａ，３６ｂには、上記側板面部１８ａ，１８ｂに形成されているスリット５１ａ，５１ｂ，５２ａ，５２ｂに係合しうるスリット３４ａ，３４ｂ，３４ｃ，３４ｄが夫々形成され、上記固定部材１９は、立設時においては、図１に示すように、上記各側板３６ａ，３６ｂは折り起こされて、上記基板３５と夫々略直角方向に形成されることにより、横断面コ字状に形成されて、上記各側板面部１８ａ，１８ｂに形成されているスリット５１ａ，５１ｂ，５２ａ，５２ｂに対して、上記固定部材１９に設けられているスリット３４ａ，３４ｂ，３４ｃ，３４ｄが係合されることによって固定され、折り畳み時においては、図７に示すように、上記側板３６ａ，３６ｂに隣接している基板３５が折り起こされて、横断面矩形状の筒状体に形成されている。
【実施例】
【００２９】
本実施例に係るスタンド式ディスプレイ装置１０は、図１に示すように、店頭やキャンペーン会場等の広告活動時において使用される広告ディスプレイ装置であって、広告表示部１１に宣伝広告事項を掲載して、通行人の視界に触れる場所に設置することによって、宣伝広告事項を広く知らしめ、広告活動の用に供するのに用いられる。
【００３０】
また、未使用時においては、図４〜図７に示すように、コンパクトに折り畳むことにより、宣伝広告において使用されるポスターや販促品等の広告媒体１５を同時に収納し、収納及び持ち運びに際し便利である。
上記スタンド式ディスプレイ装置１０は、宣伝広告事項が掲載され、又はポスター、バナー等が掲示される広告表示部１１と上記広告表示部１１を載置面１２に立設しうる支持部１３とにより構成されている。
【００３１】
本実施例に係る、上記スタンド式ディスプレイ装置１０は、立設状態を維持しつつ、広告媒体１５を内部に収納して保持しうる剛性を有するダンボール等の厚紙により形成されている。
【００３２】
図３に示すように、上記広告表示部１１は、細長板状に形成され、表面２６側には、ポスター等の宣伝広告事項が貼着されており、裏面２７側には支持部１３が固定されている。
【００３３】
図１に示すように、上記広告表示部１１は、長さ方向において等間隔に三分割され、上部に形成されている上部表示面部３１と、下部に形成されている下部表示面部３３と、上記上部表示面部３１と下部表示面部３３との間に形成されている中間表示面部３２とにより形成されている。  
【００３４】
図３に示すように、上記上部表示面部３１は、上記中間表示面部３２の上端縁において、上記広告表示部１１の幅方向に沿って設けられている折り曲げ線２３ａを介して折曲可能に延設され、上記下部表示面部３３は、上記中間表示面部３２の下端縁において、幅方向に沿って設けられている折り曲げ線２３ｂを介して折曲可能に延設されている。
【００３５】
図１に示すように、上記支持部１３は、上記広告表示部１１の長さ方向に沿って設けられた長板状の主板面部１７と、上記主板面部１７の幅方向の両端縁から折り曲げ可能に延設されている側板面部１８ａ，１８ｂとにより形成されている。
【００３６】
図１に示すように、上記主板面部１７は、上記中間表示面部３２の裏面２７の幅方向の中間部において、長さ方向に沿って接着されている。
立設時においては、各側板面部１８ａ，１８ｂは折り起こされて、上記主板面部１７に対して夫々略直角方向に折曲されて横断面コ字状になる。
【００３７】
図１に示すように、上記各側板面部１８ａ，１８ｂは、上記主板面部１７の幅方向の両端縁から折り曲げ可能に延設されている側方基板部５３ａ，５３ｂと、上記各側板基板部５３ａ，５３ｂの幅方向の端縁の長さ方向に沿って形成されている折り曲げ線３７ａ，３７ｂを介して折り曲げ可能に延設されている固定片部２２ａ，２２ｂにより形成されている。
【００３８】
図９、図１０に示すように、上記広告表示部１１の幅寸法Ｗ１は、上記主板面部１７の幅寸法Ｗ２と上記各側方基板部５３ａ及び側方基板部５３ｂの幅寸法Ｗ３，Ｗ４の総和と同一寸法に形成され、上記主板面部１７の幅寸法Ｗ２と、上記各側方基板部５３ａ，５３ｂの幅寸法Ｗ３、Ｗ４は夫々同一の幅寸法により形成されている。
【００３９】
図２に示すように、上記各固定片部２２ａ，２２ｂの幅方向の端縁同士を着脱可能に係合して、上記支持部１３を横断面矩形状に形成しうるように構成されている。
図９に示すように、上記各固定片部２２ａ，２２ｂの幅寸法Ｗ５，Ｗ６は、上記主板面部１７の幅寸法Ｗ２と同一寸法により形成され、上記各固定片部２２ａ，２２ｂには、上記各固定片部２２ａ，２２ｂの幅方向端縁部において、幅方向に沿って長さ方向に沿って同一の間隔寸法をおいて同一幅のスリット５７ａ，５７ｂ，５８ａ，５８ｂが夫々２個形成されている。
図１に示すように、上記各固定片部２２ａ，２２ｂに形成されている各スリット５７ａ、５７ｂ及び５８ａ、５８ｂは、夫々互いに対向する位置に形成されている。
また、図１、図９に示すように、上記固定片部２２ａには、上記固定片部２２ａの長さ方向に沿って、上記長さ方向の略中央において、長さ方向の端縁部の内方側には、長さ方向に沿って切り込まれた係合スリット６９が設けられている。
一方、上記固定片部２２ｂにおける、上記係合スリット６９と対向する位置においては、上記固定片部２２ｂの幅方向に向かって、断面コ字状に打ち抜きされている係合片７０が形成されている。
したがって、上記スリット５７ａ−５７ｂ同士、及び５８ａ−５８ｂ同士を互いに係合させるとともに、上記係合片７０を上記係合スリット６９に対し係合させることにより、図２に示すように、上記固定片部２２ａ，２２ｂ同士を係合させ、上記支持部１３を立設することができる。
【００４０】
図１に示すように、上記支持部１３には、上記広告表示部１１に形成されている上記折り曲げ線２３ａ，２３ｂと重なる位置において、上記支持部１３の幅方向に沿って折り曲げ線４６ａ，４６ｂが夫々形成され、上記折り曲げ線４６ａ，４６ｂから夫々上記支持部１３の端部方向へ所定の間隔寸法Ｗ７をおいて設けられた側壁形成線２４ａ，２４ｂが形成されている。
【００４１】
図４、図５に示すように、上記支持部１３は、折り畳み時においては、上記折り曲げ線４６ａ，４６ｂを介して折曲されるとともに、上記側壁形成線２４ａ，２４ｂにより折曲されることにより、上記折り曲げ線４６ａと上記側壁形成線２４ａ間及び、上記折り曲げ線４６ｂと上記側壁形成線２４ｂ間の部位Ａにより、夫々方形状の側壁部２８ａ，２８ｂが形成される。
【００４２】
図１に示すように、上記各固定片部２２ａ，２２ｂにおいて、上記折り曲げ線３７ａ，３７ｂから上記固定片部２２ａ，２２ｂの幅方向内方に向かって所定の間隔寸法Ｗ８をあけて設けられた側壁形成線３８ａ，３８ｂが形成されている。
尚、上記間隔寸法Ｗ７は、上記間隔寸法Ｗ８と同一寸法により形成されている。
【００４３】
図４、図５に示すように、上記支持部１３は、折り畳み時においては、上記折り曲げ線３７ａ，３７ｂを介して折曲されるとともに、上記側壁形成線３８ａ，３８ｂを介して折曲されることにより、上記折り曲げ線３７ａと上記側壁形成線３８ａ間及び、上記折り曲げ線３７ｂと上記側壁形成線３８ｂ間の部位Ｂにより、夫々側壁部３９ａ，３９ｂが形成される。
【００４４】
図１に示すように、上記各側板面部１８ａ，１８ｂの下部には、固定部材１９が係合しうるスリット５１ａ，５１ｂ，５２ａ，５２ｂが設けられている。
上記スリット５１ａ，５１ｂ，５２ａ，５２ｂは、上記各側板面部１８ａ，１８ｂに設けられている側壁形成線２４ｂの下部において、上記折り曲げ線３７ａ，３７ｂを介して折曲可能に延設され、上記側方基板部５３ａ，５３ｂの長さ方向に沿って所定の間隔寸法をおいて設けられている上部リブ形成片４８ａ，４８ｂ，下部リブ形成片４９ａ，４９ｂ及び脚部形成片５０ａ，５０ｂの間に夫々形成されている。
【００４５】
図１に示すように、上記スリット５１ａ，５１ｂ、及びスリット５２ａ，５２ｂは、夫々上部リブ形成片４８ａ，４８ｂ−下部リブ形成片４９ａ，４９ｂ間、及び上記下部リブ形成片４９ａ，４９ｂ−脚部形成片５０ａ，５０ｂ間に形成されている間隙により形成されている。
【００４６】
図１に示すように、上記下部リブ形成片４９ａ，４９ｂの幅寸法Ｗ９は、上記上部リブ形成片４８ａ，４８ｂ及び脚部形成片５０ａ，５０ｂの幅寸法Ｗ１０及び幅寸法Ｗ１１よりも短い幅寸法に形成されている。
【００４７】
図１に示すように、上記支持部１３の立設時においては、上記脚部形成片５０ａ，５０ｂは、上記折り曲げ線３７ａ、３７ｂを介して上記側方基板部５３ａ，５３ｂと同一面上に形成させることにより、上記支持部１３を載置面１２に対して立設させ、上記スタンド式ディスプレイ装置１０の立設状態を保持しうる脚部として機能する。
【００４８】
図１に示すように、上記側壁部３９ａ，３９ｂの上下方向の両端縁には、上記側壁部３９ａ，３９ｂの幅方向に沿って設けられている折り曲げ線７１ａ，７１ｂ，７２ａ，７２ｂを介して折曲可能に形成された片部４３ａ，４３ｂ，４４ａ，４４ｂが形成されている。
【００４９】
図９に示すように、上記主板面部１７の上部には、上記上部表示面部３１の裏面２７と接着し、上記主板面部１７の立設状態を保持しうる接着部６０が形成され、同様に上記主板面部１７の下部には、上記下部表示面部３３の裏面２７と接着し、上記主板面部１７の立設状態を保持しうる接着部６１が形成されている。
【００５０】
図４，図５，図７に示すように、上記広告媒体収納部１６は、上記広告表示部１１及び上記支持部１３を折り畳むことにより形成され、方形状の底面部６３と、上記底面部６３の端辺に形成されている各側壁部３９ａ、３９ｂ、２８ａ、２８ｂと、上記広告媒体収納部１６を閉止しうる蓋部６２により全体箱状に形成されている。
【００５１】
図４，図５，図６，図７に示すように、折り畳み時には、上記広告表示部１１の上記各折り曲げ線２３ａ，２３ｂを介して折曲され、上記中間表示面部３２の表面２６上に、上記上部表示面部３１及び上記下部表示面部３３を夫々重ね合わせ、上記中間表示面部３２により底面部６３が形成される。
【００５２】
図１、図４，図５，図７に示すように、上記広告媒体収納部１６を形成しうる上記各側壁部３９ａ，３９ｂ，２８ａ，２８ｂは、上記折り曲げ線３７ａ−側壁形成線３８ａ間に形成されている側壁部３９ａと、上記折り曲げ線３７ｂ−側壁形成線３８ｂ間に形成されている側壁部３９ｂと、上記折り曲げ線４６ａ−側壁形成線２４ａ間に形成されている側壁部２８ａと、上記折り曲げ線４６ｂ−側壁形成線２４ｂ間に形成されている側壁部２８ｂとにより形成される。
【００５３】
図６に示すように、上記蓋部６２は、上記側壁形成線２４ｂを介して折曲された上記支持部１３の下部５５と、上記側壁形成線２４ａを介して折曲された上記支持部１３の上部５４とにより形成される。
したがって、上記広告媒体収納部１６は、上記底面部６３と、上記側壁部３９ａ，３９ｂ，２８ａ，２８ｂと、上記蓋部６２とにより形成されている箱状の空間内において、上記広告媒体１５を収納しうる収納空間が形成される。
【００５４】
図８に示すように、上記固定部材１９は、矩形の板状体により形成され、矩形状の基板部３５と、上記基板部３５を形成する一対の対向する両端縁部から夫々折り曲げ可能に延設された各側板部３６ａ，３６ｂとにより形成されている。
【００５５】
図１に示すように、上記固定部材１９は、スタンド式ディスプレイ装置１０の立設時においては、各側板部３６ａ，３６ｂは折り起こされて、上記基板部３５と夫々略直角方向に形成されることにより、横断面コ字状に形成される。
【００５６】
図１、図７、図８に示すように、上記固定部材１９は、折り畳み時においては、上記側板部３６ａ，３６ｂに隣接している基板部３５が折り起こされて、上記折り曲げ線４６ａ，４６ｂと上記側壁形成線２４ａ，２４ｂとにより形成された上記側壁部２８ａ，２８ｂの間隔寸法Ｗ７、及び側壁部３９ａ，３９ｂの間隔寸法Ｗ８と同一の高さ寸法Ｗ１２を有する筒状体に形成され、上記広告媒体収納部１６に収納されることにより、上記広告媒体収納部１６を保持しうるスペーサーとして使用される。
【００５７】
図１、図８に示すように、上記各側板部３６ａ，３６ｂには、上記側板面部１８ａ，１８ｂに形成されているスリット５１ａ，５２ａ，５１ｂ，５２ｂに係合しうるスリット３４ａ，３４ｂ，３４ｃ，３４ｄが夫々形成されている。
【００５８】
図１、図８、図９に示すように、上記スリット３４ａ−３４ｂ間及び３４ｃ−３４ｄ間は、上記固定部材１９の端縁部において、上記主板面部１７の幅寸法Ｗ２と略同一の間隔寸法Ｗ１３をおいて夫々形成されている。
【００５９】
図１、図８に示すように、上記各上部リブ形成片４８ａ−下部リブ形成片４９ａ、上部リブ形成片４８ｂ−下部リブ形成片４９ｂ間に形成されているスリット５１ａ，５１ｂ及び，上記下部リブ形成片４９ａ−脚部形成片５０ａ，上記下部リブ形成片４９ｂ−脚部形成片５０ｂ間に形成されているスリット５２ａ，５２ｂに対して、上記固定部材１９に設けられているスリット３４ａ，３４ｂ及び上記スリット３４ｃ，３４ｄが係合することによって固定されている。
【００６０】
図１、図８に示すように、上記スリット３４ａ−３４ｂ間及び、３４ｃ−３４ｄ間の端縁部の内方側の先端部間の間隔寸法Ｗ１４は、上記スリット３４ａ−３４ｂ間，及び３４ｃ−３４ｄ間の端縁部側の間隔寸法Ｗ１３よりも広い間隔寸法Ｗ１４に形成されている。
【００６１】
図１、図８に示すように、上記固定部材１９は、上記側板部３６ａ，３６ｂに対して直交方向に配置され、互いに平行に配置されている折り曲げ線４０ａ，４０ｂと、上記固定部材１９の外方に向かって上記折り曲げ線４０ａ，４０ｂから所定の間隔寸法Ｗ１２をおいて形成されている折り曲げ線４１ａ，４１ｂが形成されている。
したがって、上記固定部材１９を上記広告媒体収納部１６を保持しうるスペーサーとして使用する場合にあっては、上記折り曲げ線４０ａ，４０ｂと上記折り曲げ線４１ａ，４１ｂとを夫々折曲し、断面矩形状の筒状体を形成することによって、スペーサーとして使用することができる。
【００６２】
以下、本考案にかかるスタンド式ディスプレイ装置１０の作用について詳細に説明する。
【００６３】
上記スタンド式ディスプレイ装置１０は、図２に示すように、店頭やキャンペーン会場等の広告活動時において使用される広告ディスプレイ装置であって、広告表示部１１にポスター等の宣伝広告事項を貼着等することにより、通行人の視界に触れる場所に設置することによって、宣伝広告事項を広く知らしめ、広告活動の用に供するのに用いられる。
【００６４】
図４、図５、図６及び図７に示すように、未使用時においては、折り畳むことにより、宣伝広告において使用されるポスターや販促品等の広告媒体１５を同時に収納することができ、持ち運びに便利な収納具として使用することができる。
【００６５】
図３に示すように、立設時においては、上記広告表示面部１１は、上記上部表示面部３１と、上記中間表示面部３２と、上記下部表示面部３３とが夫々同一平面上に形成されることにより、一面により構成された大きな広告表示面部１１が形成される。
したがって、上記広告表示面部１１に宣伝広告事項が記載されたポスター等を貼着することができる。
【００６６】
図１、図４に示すように、上記スタンド式ディスプレイ装置１０を折り畳む際においては、上記広告表示部１１は、上記各折り曲げ線２３ａ，２３ｂを介して折曲され、上記中間表示面部３２の表面２６上に、上記上部表示面部３１及び上記下部表示面部３３を夫々重ね合わせることにより、上記広告表示部１１を折り畳むことができるとともに、広告媒体収納部１６の底面部６３を形成することができる。
【００６７】
図９に示すように、上記支持部１３は、折り畳み時においては、上記各側板面部１８ａ，１８ｂと上記主板面部１７とが同一面上に配置される。
図１、図４、図５に示すように、上記支持部１３を上記折り曲げ線３７ａ，３７ｂを介して上記広告表示部１１側に略直角に折曲するとともに、上記側壁形成線３８ａ，３８ｂを介して上記広告表示部１１側に略直角に折曲することにより、上記折り曲げ線３７ａと上記側壁形成線３８ａ間及び、上記折り曲げ線３７ｂと上記側壁形成線３８ｂ間において、夫々広告媒体収納部１６の側壁部３９ａ，３９ｂが形成される。
【００６８】
また、図１、図４、図５に示すように、上記支持部１３を上記折り曲げ線４６ａ，４６ｂを介して上記広告表示部１１側に略直角に折曲するとともに、上記側壁形成線２４ａ，２４ｂを介して上記広告表示部１１側に略直角に折曲することにより、上記折り曲げ線４６ａと上記側壁形成線２４ａ間及び、上記折り曲げ線４６ｂと上記側壁形成線２４ｂ間において、夫々広告媒体収納部１６の側壁部２８ａ，２８ｂが形成される。
【００６９】
また、図１、図４、図５に示すように、また、上記固定片部２２ａ，２２ｂを上記側壁形成線３８ａ，３８ｂを介して上記広告表示部１１側に夫々略直角に折曲させることにより、上記広告媒体収納部１６の底面部６３と側壁部２８ａ，２８ｂ，３９ａ，３９ｂにより形成されている開口部６4が上記固定片部２２ａ，２２ｂによって、覆われる。
従って、図６に示すように、ポスターや販促品等の広告媒体を、上記開口部６４を介して上記広告媒体収納部１６内に収納することができる。
【００７０】
また、図５に示すように  また、上記側壁面部１８ａ，１８ｂの折り曲げ線３７ａ，３７ｂを介して、上記上部リブ形成片４８ａ，４８ｂ、上記下部リブ形成片４９ａ，４９ｂ及び上記脚部形成片５０ａ，５０ｂを夫々上記広告表示部１１側へ略１８０度折曲するとともに、上記支持部１３を上記側壁形成線２４ａ，２４ｂを介して上記広告表示部１１側へ略直角に折曲することにより、図６に示すように、上記広告媒体収納部１６の上記開口部６４を閉止しうる。
【００７１】
また、図６に示すように、上記支持部１３の上部５４及び上記下部５５により形成されている上記蓋部６２を粘着テープ６５などで接着して固定することにより、上記蓋部６２の開口を防止することができる。
このことにより、上記広告媒体収納部１６内に収納されている広告媒体１５を上記広告媒体収納部内において保持することができ、上記広告媒体１５を上記スタンド式ディスプレイ装置１０とともに、梱包することができる。
【００７２】
また、図７、図８に示すように、上記スタンド式ディスプレイ装置１０の折り畳み時においては、上記固定部材１９は、上記側板部３６ａ，３６ｂに隣接している基板部３５を折り起こして、横断面矩形状の筒状体に形成することによって、上記広告媒体収納部１６を保持しうるスペーサーとして使用することができる。
【００７３】
図７に示すように、上記固定部材１９を上記広告媒体収納部を保持しうるスペーサーとして使用する場合には、図１に示すように、上記筒状に形成されている上記固定部材１９は、上記折り曲げ線２３ａ，２３ｂと上記側壁形成線２４ａ，２４ｂとにより形成された側壁部２８ａ，２８ｂの間隔寸法と同一の高さ寸法Ｗ１２を有する側壁部４５ａ，４５ｂにより構成された筒状体に形成され、上記広告媒体収納部１６に収納されることにより、上記固定部材１９を構成しうる各側壁部４５ａ，４５ｂにより、上記広告媒体収納部１６の形状を保持しうる。
【００７４】
図７に示すように、上記固定部材１９を上記広告媒体収納部１６を保持しうるスペーサーとして使用する場合にあっては、上記折り曲げ線４０ａ，４０ｂと上記折り曲げ線４１ａ，４１ｂとを夫々折曲し、断面矩形状の筒状体を形成することによって、使用することができる。
【００７５】
図８に示すように、上記固定部材１９の折り曲げ線４０ａ−４１ａ間及び折り曲げ線４０ｂ−４１ｂ間の間隔寸法Ｗ１２は、上記支持部１３に形成されている側壁部３９ａ，３９ｂの間隔寸法Ｗ８及と略同一寸法に形成されている。
したがって、図７に示すように、上記筒状体に形成された上記固定部材１９を上記広告媒体収納部１６内に収納することによって、上記折り曲げ線４０ａ−４１ａ間及び折り曲げ線４０ｂ−４１ｂ間とにより形成されている各側壁部４５ａ及び４５ｂを、上記広告媒体収納部１６を保持しうる支持体として機能させることができる。
【００７６】
また、図７に示すように、上記各側壁部４５ａ、４５ｂにより形成されている上記筒状に形成されている固定部材１９の内方に、円筒状に巻かれているポスター６６等を収納することができる。
この場合、上記固定部材１９内に収納されているポスター６６は、上記各側壁部４５ａ及び４５ｂによって支持され、郵送配達中における外部からの衝撃から保護することができる。
【００７７】
図１に示すように、上記支持部１３は、上記支持部１３に設けられている各側板面部１８ａ，１８ｂが折り起こされて、上記主板面部１７に対して夫々略直角方向に折曲されて横断面コ字状に形成されることにより、上記広告表示部１１を支持しうる。
【００７８】
図２に示すように、上記側板面部１８ａ，１８ｂに形成されている固定片部２２ａ，２２ｂ同士は、上記固定片部２２ａ，２２ｂに形成されている上記スリット５７ａ−５７ｂ及び５８ａ−５８ｂ同士を互いに係合させることによって、上記固定片部２２ａ，２２ｂは、上記支持部１３を支持しうるリブとして機能する。
【００７９】
図１に示すように、上記各側板面部１８ａ，１８ｂに形成されているスリット５１ａ，５２ａ及びスリット５１ｂ，５２ｂに対して、上記固定部材１９の上記スリット３４ａ，３４ｂ及び上記スリット３４ｃ，３４ｄが係合することによって固定することができる。
【００８０】
図８に示すように、上記固定部材１９に設けられている上記スリット３４ａ−３４ｂ間及び上記スリット３４ｃ−３４ｄ間の間隔寸法は、上記固定部材１９の端縁部から、上記固定部材１９の内方方向に対し、徐々に大きくなるように形成されている。
【００８１】
したがって、上記固定部材１９を、上記支持部１３に設けられているスリット５１ａ，５１ｂ，５２ａ，５２ｂを介して係合させる場合には、図１、図８に示すように、上記側板面部１８ａ及び側板面部１８ｂは、上記固定部材１９に設けられている上記スリット３４ａ，３４ｂ及び上記スリット３４ｃ、３４ｄに沿って夫々保持されることから、上記側板面部１８ａ，１８ｂ間の間隔寸法は、上記主板面部１７から、上記スリット５１ａ，５２ａに向かうにしたがって、幅広となるように保持され、上記支持部１３を横断面台形に保持することができる。
【００８２】
したがって、上記固定部材１９により、上記スタンド式ディスプレイ装置１０を、載置面に対して安定して立設させることができ、上記側板面部１８ａ，１８ｂ同士を完全に平行にさせた状態よりも、上記スタンド式ディスプレイ装置を安定して立設させることができる。
【００８３】
また、上記主板面部１７の上部５４を上記接着部６０を介して接着し、同様に上記主板面部１７の下部５５と、上記下部表示面部３１の裏面２７とを、上記接着部６１を介して接着することにより、上記広告表示部１１を上記支持部１３において立設させることができる。
【産業上の利用可能性】
【００８４】
本件考案は、折り畳み可能なスタンド式ディスプレイ装置に係り、特に、広告時に使用されるポスターや販促品等の広告媒体を上記スタンド式ディスプレイ装置と一緒に梱包することができるスタンド式ディスプレイ装置に適用できるものである。
【図面の簡単な説明】
【００８５】
【図１】図１は、本考案に係るスタンド式ディスプレイ装置の実施例を示す裏面側から見た全体斜視図である。
【図２】図２は、本考案に係るスタンド式ディスプレイ装置の実施例を示し、固定片部同士を係合させた状態を示す裏面側から見た全体斜視図である。
【図３】図３は、本考案に係るスタンド式ディスプレイ装置の実施例を示す、表面側から見た全体斜視図である。
【図４】図４は、本考案に係るスタンド式ディスプレイ装置の実施例を示し、折り畳んでいる状態を示す全体斜視図である。
【図５】図５は、本考案に係るスタンド式ディスプレイ装置の実施例を示し、広告表示部を広告媒体収納部内に収納した状態を示す全体斜視図である。
【図６】図６は、本考案に係るスタンド式ディスプレイ装置の実施例を示し、折り畳んで、広告媒体を広告媒体収納部内に収納した状態を示す全体斜視図である。
【図７】図７は、本考案に係るスタンド式ディスプレイ装置の実施例を示し、折り畳んで、広告媒体を広告媒体納部内に収納した状態を示す斜視図である。
【図８】図８は、本考案に係るスタンド式ディスプレイ装置の固体部材の全体平面図である。
【図９】図９は、本考案に係るスタンド式ディスプレイ装置の実施例を示し、上記支持部と上記広告表示部を展開し、裏面側から見た状態を示す全体平面図である。
【図１０】図１０は、本考案に係るスタンド式ディスプレイ装置の実施例を示し、上記支持部と上記広告表示部を展開し、表面側から見た状態を示す全体平面図である。
【符号の説明】
【００８６】
１０    スタンド式ディスプレイ装置
１１    広告表示部
１２    載置面
１３    支持部
１５    広告媒体
１６    広告媒体収納部
１７    主板面部
１８ａ    側板面部
１８ｂ    側板面部
１９    固定部材
２２ａ  固定片部
２２ｂ  固定片部
２３ａ    折り曲げ線
２３ｂ    折り曲げ線
２４ａ    側壁形成線
２４ｂ    側壁形成線
２６    表面
２７    裏面
２８ａ    側壁部
２８ｂ    側壁部
３１    上部表示面部
３２    中間表示面部
３３    下部表示面部
３４ａ    スリット
３４ｂ    スリット
３４ｃ    スリット
３４ｄ    スリット
３５    基板
３６ａ    側板
３６ｂ    側板
３７ａ    折り曲げ線
３７ｂ    折り曲げ線
３８ａ    側壁形成線
３８ｂ    側壁形成線
３９ａ    側壁部
３９ｂ    側壁部
４０ａ    折り曲げ線
４０ｂ    折り曲げ線
４１ａ    折り曲げ線
４１ｂ    折り曲げ線
４３ａ    片部
４３ｂ    片部
４４ａ    片部
４４ｂ    片部
４５ａ    側壁部
４５ｂ    側壁部
４６ａ    折り曲げ線
４６ｂ    折り曲げ線
４８ａ    上部リブ形成片
４８ｂ    上部リブ形成片
４９ａ    下部リブ形成片
４９ｂ    下部リブ形成片
５０ａ    脚部形成片
５０ｂ    脚部形成片
５１ａ    スリット
５１ｂ    スリット
５２ａ    スリット
５２ｂ    スリット
５３ａ    側方基板部
５３ｂ    側方基板部
５４      上部
５５      下部
５６ａ    側壁部
５６ｂ    側壁部
５７ａ    スリット
５７ｂ    スリット
５８ａ    スリット
５８ｂ    スリット
６０      接着部    
６１      接着部    
６２      蓋部
６３      底面部
６４      開口部    
６５      粘着テープ
６６      ポスター
６９    係合スリット
７０    係合片
７１ａ    折り曲げ線
７１ｂ    折り曲げ線
７２ａ    折り曲げ線
７２ｂ    折り曲げ線
Ａ        部位
Ｂ        部位
Ｗ１    幅寸法
Ｗ２    幅寸法
Ｗ３    幅寸法
Ｗ４    幅寸法
Ｗ５    間隔寸法
Ｗ６    間隔寸法
Ｗ７    間隔寸法
Ｗ８    間隔寸法
Ｗ９    幅寸法
Ｗ１０  幅寸法
Ｗ１１  幅寸法
Ｗ１２  高さ寸法
Ｗ１３  間隔寸法
Ｗ１４  間隔寸法
Ｗ１５  間隔寸法
【図１】
0003114293.tif 000003
【図２】
0003114293.tif 000004
【図３】
0003114293.tif 000005
【図４】
0003114293.tif 000006
【図５】
0003114293.tif 000007
【図６】
0003114293.tif 000008
【図７】
0003114293.tif 000009
【図８】
0003114293.tif 000010
【図９】
0003114293.tif 000011
【図１０】
0003114293.tif 000012